(57)【要約】【課題】ハウジングを組み立てる際のネジ締め作業を軽減して組立を容易とすると共に、空気調和機本体の保守点検等の際の前板の付け外しを円滑に行うことができ、しかも外観の体裁を良好に維持することができる空気調和機を提供する。【解決手段】空気調和機本体を収容するハウジングを、後板と、後板の左右の側端に一体に連設された一対の側板４と、両側板４の前端に連結される前板５と、天板とにより構成する。側板５の前端に第１内曲げフランジ部７を設け、上部側に取っ手部材８を設ける。天板に取っ手部材８と第１内曲げフランジ部７との間に介在する連結部３２を設ける。前板５の左右の側端に第２内曲げフランジ部１６を設ける。取っ手部材８の前側部内部から前方に向かってネジ部材１０を挿入螺着し、天板の連結部３２、第１内曲げフランジ部７及び第２内曲げフランジ部１６を一体的にネジ止め連結する。【選択図】図８
2006038268.tif 000002
【特許請求の範囲】
【請求項１】
空気調和機本体と、該空気調和機本体を収容するハウジングとを備える空気調和機において、
前記ハウジングは、空気調和機本体の後部を覆う後板と、該後板の左右の側端に一体に連設されて空気調和機本体の左右の側部を覆う一対の側板と、両側板の前端に着脱自在に連結されて空気調和機本体の前部を覆う前板と、空気調和機本体の上部を覆う天板とを備え、
前記側板は、該側板の前端に沿って形成された第１内曲げフランジ部と、該側板の上部側に形成された取っ手用開口部と、該取っ手用開口部に挿着されたカップ状の取っ手部材とを備え、
前記天板は、その下方に延設されて前記取っ手部材の前側部と前記第１内曲げフランジ部との間に介在する連結部を備え、
前記前板は、その左右の側端に形成されて前記第１内曲げフランジ部に当接重合する第２内曲げフランジ部を備え、
前記取っ手部材の前側部内部から前方に向かってネジ部材が挿入螺着され、該ネジ部材により天板の連結部、第１内曲げフランジ部及び第２内曲げフランジ部が一体的にネジ止め連結されていることを特徴とする空気調和機。
【請求項２】
前記前板の第２内曲げフランジ部には、前記側板に向かって突出する係合爪部が設けられ、前記側板の第１内曲げフランジ部には、前記係合爪部に係合する係合孔が設けられて、係合爪部と係合孔との係合により前板と側板とが互いに連結され、
前記前板には、その上端に沿って形成された第３内曲げフランジ部と、該第３内曲げフランジ部に貫通形成された貫通孔とが設けられ、前記天板には、前記貫通孔を貫通して先端が第３内曲げフランジ部の下方に突出する突出部が設けられて、突出部と貫通孔との係合により天板と前板とが互いに連結されることを特徴とする請求項１記載の空気調和機。
【請求項３】
前記係合爪部は、前記第２内曲げフランジ部に沿って上下方向に所定間隔を存して複数設けられており、
前記係合孔は、前記第１内曲げフランジ部の各係合爪部に対応する位置に複数設けられており、
最下部の係合爪部は、後方に向かって水平に延びる水平延出部と該水平延出部の先端部から下方に向かって延びる下方延出部とによって鉤型状に形成され、
最上部の係合爪部は、後方に向かって上縁と下縁とが互いに接近する方向に傾斜する側面視台形状に形成されていることを特徴とする請求項１又は２記載の空気調和機。
【発明の詳細な説明】
【技術分野】
【０００１】
本発明は、温風暖房機等の空気調和機に関する。
【背景技術】
【０００２】
従来、空気調和機のハウジングとしては、下記特許文献１に見られるように、内部に収容された空気調和機本体の前側を覆う前板と、空気調和機本体の左右側を覆う両側板とを別部品化して、ハウジングの組立性を向上すると共に前板の取り外しを容易に行うことができるようにしたものが知られている。
【０００３】
下記特許文献１のものにおいては、底板に左側板と右側板とをネジ止めし、次いで前板を取り付けた後、天板を取り付ける。前板は、その上部の左右側位置に互いに内側に延設された一対のリブを備え、両側板には、各リブに係合する孔が形成されている。そして、各リブを各側板の孔に係合させるときには、左側板と右側板とが底板にネジ止めされた状態で、両側板を弾性を利用して少し内側に倒し、前板の各リブを各側板の孔に挿通させる。その後、前板を底板にネジ止めする。天板は箱型に形成されており、各リブと各孔との係合位置を覆い隠すようにして後板等にネジ止めされる。
【０００４】
また、ハウジングの内部に収容された空気調和機本体の保守点検等を行う際に前板を取り外すときには、先ず、天板を取り外し、次いで、前板と底板とのネジ止めを解除する。続いて、両側板を弾性を利用して少し内側に倒し、前板の各リブを両側板の各孔から離脱させる。
【０００５】
しかし、上記従来の構成によると、前板と両側板との連結時、及び両側板から前板の取り外し時には、毎回両側板をそれ自体の弾性を利用して少し内側に倒す作業が必要となる。このため、ハウジングの内部に空気調和機本体を収容した状態であっても両側板が内側に倒せるだけの空間が必要となり、ハウジングが比較的大きくなる不都合がある。また、前板を取り外す度に両側板を内側に倒すと、両側板の復元が不十分となってハウジングに歪みが生じ、連結部分に段差が生じて外観上の体裁が悪くなる不都合がある。
【０００６】
更に、前板と両側板とを各リブと各孔との係合によって、取り付け及び取り外し容易な連結状態を形成しても、底板と前板とのネジ止めや天板のネジ止めといった比較的離れた位置での複数のネジの付け外しが必要であるため作業性が悪い不都合がある。
【特許文献１】特開平９−１４５０９６号公報
【発明の開示】
【発明が解決しようとする課題】
【０００７】
かかる不都合を解消して、本発明は、ハウジングを組み立てる際のネジ締め作業を軽減して組立を容易とすると共に、空気調和機本体の保守点検等の際の前板の付け外しを円滑に行うことができ、しかも外観の体裁を良好に維持することができる空気調和機を提供することを目的とする。
【課題を解決するための手段】
【０００８】
かかる目的を達成するために、本発明は、空気調和機本体と、該空気調和機本体を収容するハウジングとを備える空気調和機において、前記ハウジングは、空気調和機本体の後部を覆う後板と、該後板の左右の側端に一体に連設されて空気調和機本体の左右の側部を覆う一対の側板と、両側板の前端に着脱自在に連結されて空気調和機本体の前部を覆う前板と、空気調和機本体の上部を覆う天板とを備え、前記側板は、該側板の前端に沿って形成された第１内曲げフランジ部と、該側板の上部側に形成された取っ手用開口部と、該取っ手用開口部に挿着されたカップ状の取っ手部材とを備え、前記天板は、その下方に延設されて前記取っ手部材の前側部と前記第１内曲げフランジ部との間に介在する連結部を備え、前記前板は、その左右の側端に形成されて前記第１内曲げフランジ部に当接重合する第２内曲げフランジ部を備え、前記取っ手部材の前側部内部から前方に向かってネジ部材が挿入螺着され、該ネジ部材により天板の連結部、第１内曲げフランジ部及び第２内曲げフランジ部が一体的にネジ止め連結されていることを特徴とする。
【０００９】
本発明によれば、天板の連結部と第１内曲げフランジ部と第２内曲げフランジ部とが、取っ手部材の前側部内部から前方に向かって挿入螺着されたネジ部材によって共に連結されるので、天板と側板と前板との連結状態を強固に維持することができる。しかも、左右一箇所ずつのネジ締め作業で天板と側板と前板とを連結でき、組立が容易となるため生産性が向上する。更に、空気調和機本体の保守点検等のために前板を取り外す際にも、前記ネジ部材を外すだけで容易に前板を分離させることができるので、保守点検等の作業を効率よく行うことができる。また、天板と側板と前板とを連結するネジ部材は、取っ手部材の前側部内部から前方に向かって挿入螺着されることから、ネジ部材がカップ状の取っ手部材の内側に隠されて外観に現れず、体裁が良好になる。
【００１０】
また、本発明においては、前記前板の第２内曲げフランジ部には、前記側板に向かって突出する係合爪部が設けられ、前記側板の第１内曲げフランジ部には、前記係合爪部に係合する係合孔が設けられて、係合爪部と係合孔との係合により前板と側板とが互いに連結され、前記前板には、その上端に沿って形成された第３内曲げフランジ部と、該第３内曲げフランジ部に貫通形成された貫通孔とが設けられ、前記天板には、前記貫通孔を貫通して先端が第３内曲げフランジ部の下方に突出する突出部が設けられて、突出部と貫通孔との係合により天板と前板とが互いに連結されることを特徴とする。
【００１１】
これによれば、前板の係合爪部が側板の係合孔に係合し、前板の貫通孔に天板の突出部が貫通係合するので、前記ネジ部材によるネジ止めだけで、前板、側板及び天板が確実に連結される。しかも、前板の係合爪部と側板の係合孔との係合により、前板の左右側端が左右方向に広がるような変形を防止することができ、前板の貫通孔と天板の突出部との係合により、前板の上端が前方に張り出すような変形を防止することができるので、ハウジングの外観上の一体感を良好に維持することができる。
【００１２】
また、本発明において、前記係合爪部は、前記第２内曲げフランジ部に沿って上下方向に所定間隔を存して複数設けられており、前記係合孔は、前記第１内曲げフランジ部の各係合爪部に対応する位置に複数設けられており、最下部の係合爪部は、後方に向かって水平に延びる水平延出部と該水平延出部の先端部から下方に向かって延びる下方延出部とによって鉤型状に形成され、最上部の係合爪部は、後方に向かって上縁と下縁とが互いに接近する方向に傾斜する側面視台形状に形成されていることを特徴とする。
【００１３】
本発明においてハウジングを組立る際には、天板の取り付けに先立って、両側板に前板を取り付ける。このとき、先ず、両側板の最下部の係合孔に、前板の最下部の係合爪部を差し込む。続いて、前板を起立させ、前板の最上部の係合爪部を両側板の最上部の係合孔に差し込む。この際には、前板が最下部の係合爪部を介して最下部の係合孔に位置決めされた状態とされ、しかも、最上部の係合爪部が後方に向かって上縁と下縁とが互いに接近する方向に傾斜する側面視台形状に形成されていることにより、最上部の係合爪部が最上部の係合孔に引っ掛かることがなく、その差し込み作業を円滑に行うことができる。
【００１４】
続いて、前板を両側板に沿って少し下方に摺動させる。これによって、最下部の係合爪部の下方延出部が最下部の係合孔を経て裏側に回りこみ、最下部の係合孔の上縁が係合爪部の水平延出部の下縁に当接し、最下部の係合爪部が最下部の係合孔に抜け止め状態で係合される。
【００１５】
その後、上方から天板を取り付け、その際に、天板の突出部を前板の第３内曲げフランジ部の貫通孔に貫通係合させ、前記ネジ部材によるネジ止め作業を行う。このように、本発明によれば、前板を両側板に取り付ける作業を極めて容易に行うことができる。
【発明を実施するための最良の形態】
【００１６】
本発明の一実施形態を図面に基づいて説明する。図１は本実施形態の空気調和機のハウジングの構成を示す説明的分解斜視図、図２は一方の第１内曲げフランジ部の要部を示す説明図、図３は前板の内面側を示す説明図、図４は天板の正面図、図５は前板の取り付け工程を示す説明図、図６は前板の取り付け工程における係合爪部と係合孔との係合状態を示す説明図、図７は天板と前板との連結状態を示す説明的断面図、図８はネジ部材による両側板と前板と天板との連結状態を示す説明的断面図である。
【００１７】
本実施形態の空気調和機は、空気調和機本体（図示しない）と、空気調和機本体を収容するハウジング１とを備えている。ハウジング１は、図１に示すように、底板２と、後板３と、一対の側板４と、前板５と、天板６とによって組み立てられる。底板２と天板６とは合成樹脂により形成されている。両側板４は後板３の左右の側縁に一体に連設され、後板３及び両側板４と前板５とは金属製薄板により形成されている。各側板４には、その前端に沿って第１内曲げフランジ部７が形成されている。また、各側板４の上部側面には、カップ状の取っ手部材８が、取っ手用開口部９を介して挿着される。取っ手部材８は、その前側部の内部から前方に向かってネジ部材１０が挿通してネジ止めされるネジ用孔１１が形成されている。
【００１８】
第１内曲げフランジ部７には、図１及び図２に示すように、上下方向に沿って所定間隔を存して３つの係合孔（第１係合孔１２、第２係合孔１３、第３係合孔１４）が形成され、第１係合孔１２の上方位置には前記ネジ部材１０が挿通してネジ止めされるネジ用孔１５が形成されている。
【００１９】
前板５には、図１及び図３に示すように、左右の側端に沿って第２内曲げフランジ部１６が形成されている。第２内曲げフランジ部１６は、第１内曲げフランジ部７に当接して重合するように設けられており、第１内曲げフランジ部７に形成された第１係合孔１２、第２係合孔１３、及び第３係合孔１４に夫々対向する位置に第１係合爪部１７、第２係合爪部１８、及び第３係合爪部１９が形成されている。また、図３に示すように、第２内曲げフランジ部１６における第１係合爪部１７の上方位置には前記ネジ部材１０が挿通してネジ止めされるネジ用孔２０が形成されている。
【００２０】
図６（ａ）及び図６（ｂ）を参照して、第２内曲げフランジ部１６の最上部に位置する第１係合爪部１７は、上縁２１と下縁２２とが後方に向かって次第に接近する方向に傾斜する側面視台形状に形成されている。第２係合爪部１８は、上縁２３が下方に向かって次第に傾斜する傾斜延出部２４と傾斜延出部２４の先端部から下方に向かって延びる下方延出部２５とによって鉤型状に形成されており、下方延出部２５と第２内曲げフランジ部１６の内面側との間に、第１内曲げフランジ部７の第２係合孔１３の下部が挿入可能な空隙が形成されている。最下部に位置する第３係合爪部１９は、水平方向に延びる水平延出部２６と水平延出部２６の先端部から下方に向かって延びる下方延出部２７とによって鉤型状に形成されており、下方延出部２７と第２内曲げフランジ部１６の内面側との間に、第１内曲げフランジ部７の第３係合孔１４の下部が挿入可能な空隙が形成されている。
【００２１】
一方、図２に示すように、第１内曲げフランジ部７の第１係合孔１２、第２係合孔１３、及び第３係合孔１４は、第１係合爪部１７、第２係合爪部１８、及び第３係合爪部１９の肉厚より広い幅寸法で上下方向に延び、下方位置において次第に幅狭となって、第１係合爪部１７、第２係合爪部１８、及び第３係合爪部１９の肉厚と略同じ幅寸法となる幅狭部２８が形成されている。これによって、第１係合爪部１７、第２係合爪部１８、及び第３係合爪部１９が、夫々第１係合孔１２、第２係合孔１３、及び第３係合孔１４に係合したとき、幅狭部２８に挟持されて左右方向のがたつきが防止される。
【００２２】
また、図１に示すように、前板５には、その上端に沿って第３内曲げフランジ部２９が形成されている。第３内曲げフランジ部２９には、複数の（本実施形態では３つの）貫通孔３０が所定間隔を存して形成されている。
【００２３】
天板６は、図１に示すように、天面側に操作部３１を支持し、図４に示すように、左右の端部に下方に延出された連結部３２を備えている。連結部３２は、後述するように取っ手部材８の前側部と第１内曲げフランジ部７との間に介入する。連結部３２には、取っ手部材８の前側部と第１内曲げフランジ部７との間に介在したとき、前記ネジ部材１０が挿通してネジ止めされるネジ用孔３３が形成されている。また、天板６の前側下部には、前板５の第３内曲げフランジ部２９の各貫通孔３０に挿通されて係合する複数の（本実施形態では３つの）突出部３４が形成されている。各突出部３４は、図７に示すように、各貫通孔３０に挿通されたとき、各突出部３４の先端（下端）が各貫通孔３０の下方に僅かに突出するような突出量に形成されている。
【００２４】
次に、以上の構成からなるハウジング１の組み立て手順を説明する。先ず、底板２に後板３及び両側板４の下端をネジ止め固定し、両側板４の取っ手用開口部９に取っ手部材８を取り付ける。次いで、両側板４の前端側に前板５を取り付ける。前板５は、図５（ａ）に示すように、傾斜させた状態で第３係合爪部１９を側板４の第３係合孔１４に挿入させる。このとき、前板５の下縁と底板２との間に間隙が形成されるように、前板５を少し上方に持ち上げた状態とする。第３係合爪部１９に第３係合孔１４が挿入されたことによって、前板５が取り付け方向に位置決めされ、図６（ａ）に示すように、第１係合爪部１７と第１係合孔１２とが正確に対向すると共に、第２係合爪部１８と第２係合孔１３とが正確に対向する。そして、前板５を起立方向に移動させ、第２係合爪部１８を第２係合孔１３に挿入し、第１係合爪部１７を第１係合孔１２に挿入する。このとき、第２係合爪部１８の傾斜延出部２４の上縁２３が傾斜していることにより、第２係合孔１３の上下の内縁との干渉もなく円滑に第２係合孔１３に挿入できる。同じように、第１係合爪部１７は、その上縁２１と下縁２２とが後方に向かって次第に接近する方向に傾斜する側面視台形状に形成されていることにより、第１係合孔１２の上下何れの内縁に接しても、円滑に挿入方向に案内される。このようにして、第１係合爪部１７、第２係合爪部１８、及び第３係合爪部１９が、第１係合孔１２、第２係合孔１３、及び第３係合孔１４に挿入されると、図５（ｂ）に示すように、前板５が両側板４の前端側に密着し、第１内曲げフランジ部７と第２内曲げフランジ部１６とが当接して重合状態となる。
【００２５】
続いて、前板５を両側板４の前端に沿って下方に摺動させ、図５（ｃ）に示すように、前板５の下縁を底板２に密着させる。これにより、第１係合爪部１７、第２係合爪部１８、及び第３係合爪部１９が、第１係合孔１２、第２係合孔１３、及び第３係合孔１４に挿入された状態で下方に移動し、図６（ｂ）に示すように、第３係合爪部１９の水平延出部２６の下縁が第３係合孔１４の下端内縁に当接する。
【００２６】
なお、このとき、第２係合爪部１８の下方延出部２５の内側縁が第１内曲げフランジ部７の内側に当接して抜け止めされる一方、第２係合爪部１８の水平延出部２４の下縁は第２係合孔１３の下端内縁との間に僅かな間隙が形成され、これによって、前板５の取り付け状態を維持しつつ前板５を取り外す際に第２係合孔１３からの第２係合爪部１８の脱出が円滑に行われるようになっている。また、第１係合爪部１７においては、第１係合孔１２に挿入状態で前板５の左右への広がり変形が確実に防止することができ、しかも、第１係合爪部１７が側面視台形状であることにより前板５を取り外す際に第１係合孔１２からの第１係合爪部１７の脱出を円滑に行うことができる。更に、第１係合爪部１７、第２係合爪部１８、及び第３係合爪部１９は、第１係合孔１２、第２係合孔１３、及び第３係合孔１４の幅狭部２８に係合され、前板５の横振れ等が防止される。
【００２７】
次いで、図５（ｃ）に示すように、上方から天板６を取り付ける。このとき先ず、図７に示すように、天板６の突出部３４が前板５の第３内曲げフランジ部２９に形成された貫通孔３０に挿通係合される。更に、図８に示すように、天板６の連結部３２が取っ手部材８の前側部と第１内曲げフランジ部７との間に介入される。そして、取っ手部材８の前側部内部から前方に向かってネジ部材１０が挿入螺着され、ネジ部材１０により天板６の連結部３２、第１内曲げフランジ部７及び第２内曲げフランジ部１６が一体的にネジ止め連結されることによって、側板４、前板５及び天板６がネジ部材１０のみにより互いに連結固定される。
【００２８】
このように、ネジ部材１０のみにより側板４、前板５及び天板６が連結されることにより、組み立ての際のネジ締め作業が軽減でき、組み立て作業を効率よく行うことができる。また、前板５を取り外す際にも、このネジ部材１０を取り外せばよく、保守点検等に係る作業性も良好である。更に、ネジ部材１０は、取っ手部材８の前側部内部から前方に向かって挿入螺着されることによって、取っ手部材８の内側に隠されて外観に現れないので、ハウジング１の外観上の体裁を良好とすることができる。
【図面の簡単な説明】
【００２９】
【図１】本発明の一実施形態の空気調和機のハウジングの構成を示す説明的分解斜視図。
【図２】一方の第１内曲げフランジ部の要部を示す説明図。
【図３】前板の内面側を示す説明図。
【図４】天板の正面図。
【図５】前板の取り付け工程を示す説明図。
【図６】前板の取り付け工程における係合爪部と係合孔との係合状態を示す説明図。
【図７】天板と前板との連結状態を示す説明的断面図。
【図８】ネジ部材による両側板と前板と天板との連結状態を示す説明的断面図。
【符号の説明】
【００３０】
１…ハウジング、３…後板、４…側板、５…前板、６…天板、７…第１内曲げフランジ部、８…取っ手部材、９…取っ手用開口部、１０…ネジ部材、１２…第１係合孔（係合孔）、１３…第２係合孔（係合孔）、１４…第３係合孔（係合孔）、１６…第２内曲げフランジ部、１７…第１係合爪部（係合爪部）、１８…第２係合爪部（係合爪部）、１９…第３係合爪部（係合爪部）、２６…水平延出部、２７…下方延出部、２９…第３内曲げフランジ部、３０…貫通孔、３２…連結部、３４…突出部。
【図１】
2006038268.tif 000003
【図２】
2006038268.tif 000004
【図３】
2006038268.tif 000005
【図４】
2006038268.tif 000006
【図５】
2006038268.tif 000007
【図６】
2006038268.tif 000008
【図７】
2006038268.tif 000009
【図８】
2006038268.tif 000010